(57)【要約】【課題】紙幣整理装置の計数照合における照合対象となる紙幣群の枚数の照合を確実に行う手段を提供する。【解決手段】紙幣整理装置が、計数照合の対象となる紙幣群の紙幣枚数である計数照合枚数の入力を受付ける手段と、入力された計数照合枚数を記憶する手段と、投入口に投入された紙幣群の枚数を１枚ずつ計数して、その計数枚数を記憶する手段と、記憶した計数枚数が計数照合枚数に達したときに、紙幣の計数を停止する手段と、紙幣の計数を停止したときに投入口１およびリジェクトポケット９等の残留紙幣の有無を検出する手段と、残留紙幣が存在しない場合に正常終了を報知する手段とを備える。【選択図】        図１０
2008276421.tif 000002
【特許請求の範囲】
【請求項１】
紙幣群を投入する投入口と、
結束の対象とならない紙幣を集積する結束対象外紙幣集積部と、
紙幣を搬送する搬送路と、を備えた紙幣整理装置において、
計数照合の対象となる紙幣群の紙幣枚数である計数照合枚数の入力を受付ける手段と、
該入力された計数照合枚数を記憶する手段と、
投入口に投入された紙幣群の枚数を１枚ずつ計数して、その計数枚数を記憶する手段と、
該記憶した計数枚数が、前記記憶した計数照合枚数に達したときに、紙幣の計数を停止する手段と、
該紙幣の計数を停止したときに、前記投入口および前記結束対象外紙幣集積部の残留紙幣の有無を検出する手段と、
前記残留紙幣が存在しない場合に、正常終了を報知する手段と、を備えることを特徴とする紙幣整理装置。
【請求項２】
請求項１において、
前記残留紙幣が存在する場合に、異常終了を報知する手段を備えることを特徴とする紙幣整理装置。
【請求項３】
請求項１または請求項２において、
前記投入口に投入された紙幣群の最後の紙幣を計数したときに、前記記憶した計数枚数と、前記記憶した計数照合枚数との一致を判定する手段と、
該判定結果が、不一致の場合に、前記結束対象外紙幣集積部に集積された紙幣の枚数の入力を受付ける手段と、
該入力された枚数と前記記憶した計数枚数との合計枚数が、前記記憶した計数照合枚数と一致した場合に、正常終了を報知する手段と、を備えることを特徴とする紙幣整理装置。
【請求項４】
請求項３において、
前記判定結果が、不一致の場合に、前記搬送路の駆動を停止せずに、前記投入口への紙幣の追加投入を受付ける手段と、を備えることを特徴とする紙幣整理装置。
【発明の詳細な説明】
【技術分野】
【０００１】
本発明は、紙幣を計数し、計数した紙幣を複数の一時集積部に集積して、所定の結束枚数毎に結束して整理する紙幣整理装置に関する。
【背景技術】
【０００２】
従来の紙幣整理装置は、紙幣を投入する投入口と、投入口から搬送された紙幣の金種、正損等の各種の鑑別を行う鑑別部と、鑑別部の鑑別結果に基づいて紙幣を金種や正損別に集積する複数の一時集積部を有する集積機構と、一時集積部に集積された所定の結束枚数の紙幣をテープで結束して放出する紙幣結束部と、一時集積部に集積された所定の結束枚数の紙幣を紙幣結束部へ移送する移送部と、鑑別部で鑑別された紙幣の金種別の計数結果の表示や動作モードの指定等を行う表示画面とタッチパネルを有する操作表示部と、計数開始ボタンや完了ボタンが設けられた操作部とを備えて構成され、オペレータが動作モードを指定し、投入口に多数の紙幣をセットして操作部の計数開始ボタンを押下すると、投入口から紙幣が１枚ずつ鑑別部へ搬送され、鑑別部により金種や搬送異常が鑑別されて、その金種別の枚数を１枚ずつ計数して記憶し、結束対象の紙幣と鑑別された紙幣を、集積機構へ搬送して紙幣の金種別にそれぞれの一時集積部に集積し、一つの一時集積部に集積された紙幣が所定の結束枚数（１００枚）になったときに、その一時集積部の紙幣を移送部により紙幣結束部へ移送し、移送された１００枚の紙幣に紙テープを巻き付けて結束した紙幣束を放出口から放出し、全ての紙幣の計数と集積が完了したときに、一時集積部に残留した端数の紙幣を扉を開けて取出している（例えば、特許文献１参照。）。
【特許文献１】特開２００２−１９７５０９号公報（主に第３頁段落０００７−第５頁段落００２９、第６頁段落００３８−００４５、第１図、第４図）
【発明の開示】
【発明が解決しようとする課題】
【０００３】
しかしながら、上述した従来の紙幣整理装置を用いて、既知の紙幣枚数からなる紙幣群の枚数を計数して照合する計数照合を行う場合には、オペレータは照合する紙幣群を投入口にセットし、計数開始ボタンを押下して紙幣群の鑑別、計数を開始し、全ての紙幣の取込みを終えたときに完了ボタンを押下すると、その間に計数された紙幣枚数の合計枚数等が表示されるため、複数の紙幣群の計数照合を行うときに、それぞれの紙幣群の照合する枚数が異なっている場合には、計数照合を行う紙幣群を誤認して、照合対象以外の紙幣群の紙幣枚数を計数し、照合対象の紙幣群を未計数のままにてしまう場合があり、照合対象の紙幣群の枚数が何枚であったかが、あいまいになるという問題がある。
【０００４】
本発明は、上記の問題点を解決するためになされたもので、計数照合における照合対象となる紙幣群の枚数の照合を確実に行う手段を提供することを目的とする。
【課題を解決するための手段】
【０００５】
本発明は、上記課題を解決するために、紙幣群を投入する投入口と、結束の対象とならない紙幣を集積する結束対象外紙幣集積部と、紙幣を搬送する搬送路とを備えた紙幣整理装置において、計数照合の対象となる紙幣群の紙幣枚数である計数照合枚数の入力を受付ける手段と、該入力された計数照合枚数を記憶する手段と、投入口に投入された紙幣群の枚数を１枚ずつ計数して、その計数枚数を記憶する手段と、該記憶した計数枚数が、前記記憶した計数照合枚数に達したときに、紙幣の計数を停止する手段と、該紙幣の計数を停止したときに、前記投入口および前記結束対象外紙幣集積部の残留紙幣の有無を検出する手段と、前記残留紙幣が存在しない場合に、正常終了を報知する手段とを備えることを特徴とする。
【発明の効果】
【０００６】
これにより、本発明は、投入された紙幣群が照合対象の紙幣群であることを容易に確認することができ、照合対象となる紙幣群の誤認を防止して計数照合における照合対象となる紙幣群の枚数の照合を確実に行うことができるという効果が得られる。
【発明を実施するための最良の形態】
【０００７】
以下に、図面を参照して本発明による紙幣整理装置の実施例について説明する。
【実施例】
【０００８】
図１は実施例の紙幣整理装置の概略側面を示す説明図、図２は実施例の紙幣整理装置の外観を示す斜視図、図３は実施例の操作部を示す説明図、図４は図１の上部の拡大図、図５は実施例の集積機構の側面を示す説明図、図６は実施例の一時集積部を示す斜視図、図７は実施例の移送部を示す斜視図、図８は実施例の紙幣結束部の側面を示す説明図、図９は実施例の制御系を示すブロック図である。
【０００９】
図１、図２において、１は紙幣の投入口であり、装置正面の上部に設けられている。
２は鑑別部であり、紙幣の真偽、金種、正損、表裏等の鑑別、および計数を行うと共に、搬送異常の検出を行う機能を有しており、装置内に設けられている。
３は紙幣を搬送する搬送路であり、図示しないモータ等の駆動源により駆動される。この搬送路３については後で説明する。
【００１０】
４は紙幣の表裏反転を行う表裏反転部であり、装置内の鑑別部２の後段に位置するように設けられている。
５は結束の対象とならない金種の紙幣を集積する結束対象外紙幣集積部としてのオープンポケットであり、装置の上面に設けられており、オープンポケット５に集積された紙幣はオペレータが直接アクセスできるものとなっている。
【００１１】
６は集積機構であり、本実施例においてこの集積機構６には、縦１列に４つの一時集積部６ａ〜６ｄが並べて装置内に設けられており、各一時集積部６ａ〜６ｄにそれぞれ予め定められた所定の結束枚数（本実施例では、１００枚）の紙幣が集積できるようになっている。なお一時集積部は４つに限らす３つ以上であればよい。
７は投入口１の一の側に設けられた操作部であり、図３に示すように、紙幣の計数を指示する計数開始ボタン７ａ、装置の障害復旧時に装置を再稼働させるためのリセットボタン７ｂ、計数および結束処理の完了を指示する完了ボタン７ｃが設けられている。
【００１２】
８はプリンタであり、オープンポケット５の向かって左側に設けられており、計数および結束処理の完了時に計数結果等を帳票等に印字して排出する機能を有している。
９は鑑別部２で金種不明若しくは搬送異常と鑑別された結束の対象とならないリジェクト紙幣を集積する結束対象外紙幣集積部としてのリジェクトポケットであり、投入口１の上方に設けられており、リジェクトポケット９に集積された紙幣にオペレータが直接アクセスできるものとなっている。
【００１３】
１０は移送部、１１は紙幣結束部で、両者とも装置内に設けられており、この両者については後で説明する。
１２は紙幣束の放出口、１３は装置正面に設けられた扉であり、この扉１３を開けることでオペレータは集積機構６にアクセスできるものになっている。
１４は操作表示部であり、図２に示すように、装置上面においてオープンポケット５の後方に位置するように設けられ、ＬＣＤ等の表示画面と、その表面に配置した入力手段としてのタッチパネルと、オペレータの注意を喚起するための警報手段としてのブザー１５等によって構成されており、オペレータはこの操作表示部１４を操作して動作モードの指定や、一時集積部６ａ〜６ｄに集積する紙幣に金種や集積順序等の指定を行うものとなっている。
【００１４】
また、この操作表示部１４には鑑別部２で鑑別された紙幣の金種や正損および計数結果等の表示も行われる。
ここで、搬送路３について説明する。装置内の上部において搬送路３は、図４に示すように、搬送路３ａ〜３ｄからなり、搬送路３ａは、投入口１から鑑別部２を経て分岐点Ａに至るように設けられ、搬送路３ｂは、分岐点Ａからリジェクトポケットに至るように設けられ、搬送路３ｃは、分岐点Ａから表裏反転部４を経て分岐点Ｂに至るように設けられている。
【００１５】
搬送路３ｄは、分岐点Ｂから図１に示すように装置の下部に伸びて集積機構６の一時集積部６ａ〜６ｄに沿うように設けられ、搬送路３ｅは、分岐点Ｂからオープンポケット５に至るように設けられている。
なお、分岐点Ａ、Ｂのそれぞれの近傍には、紙幣の搬送方向を切替える図示しない切替ブレードが設けられ、後述する制御部５０により動作制御されるものとなっている。
【００１６】
集積機構６には、図５に示すように、前記した４つの一時集積部６ａ〜６ｄが上下方向に並べて配置されており、これらの一時集積部６ａ〜６ｄは同一の構造を有しているので、以下に一時集積部６ａを例にして説明する。
搬送路３ｄにより搬送されてきた紙幣は、一時集積部６ａの振分ゲート２７により集積板２１に向かって取込まれ、これにより一時集積部６ａに侵入した紙幣は叩き車２０により後部が叩かれて集積板２１の上に集積されるものとなっている。
【００１７】
また、以降侵入してくる紙幣に関しては、同様の動作で集積板２１上に集積した紙幣の上に集積される。
一時集積部６ａに進入した紙幣は、叩き車２０により叩かれるだけでなく、図６に示す一時集積部６ａの一の側に設けられた長手整位機構２２により長手方向の位置が揃えられ、更に一時集積部６ａの前端側に設けられた短手整位機構２３により短手方向の位置が揃えられる。
【００１８】
長手整位機構２２は、正逆両方向への回転が可能なモータ２２ａと、このモータに連結部材２２ｂを介して連結された棒若しくは板状等の整位部材２２ｃを備え、進入してくる紙幣を検知する図示しない進入センサの検知信号にタイミングをとってモータ２２ａにより整位部材２２ｃを回動させることにより、紙幣を反対側に設置された基準面２５に押し付けることで整位するものとなっている。
【００１９】
また、短手整位機構２３は、図示しないトーションスプリング等の付勢手段によって付勢された棒状部材により構成され、集積された紙幣を進入口側に付勢することにより整位するものとなっている。
集積板２１上に紙幣が集積され、その集積高さが図示しない高さセンサにより基準値を越えたことが検知されると、集積板２１は自動的に下降して一時集積部６ａの空間を広げ、この動作により皺や折り目等に起因する紙幣の状態によって集積高さが違っても安定して集積が行えるようになっている。
【００２０】
集積板２１の上方には押え板２４が対向するように設けられ、この押え板２４は集積板２１上への紙幣の集積中は一時集積部６ａの上端に待機しており、順次取込まれる紙幣の進入の邪魔にならないようになっている。
一時集積部６ａの集積板２１上に予め定められた所定の結束枚数（１００枚）の紙幣が集積されると、ゲート機構２７を紙幣を取込まない姿勢に動作させ、１０１枚目以降の紙幣は一時集積部６ｂ〜６ｄのいずれかへ集積するように制御される。
【００２１】
紙幣の進入が停止した一時集積部６ａでは、集積板２１を上昇させ、押え板２４を下降させることにより紙幣を挟持する。
この動作により皺等の紙幣の状態によって集積高さの異なる紙幣の厚みを一定にし、移動機構９への受渡しを容易にするようになっている。
集積板２１と押え板２４により挟持された紙幣は、後述する移動機構９のハンド部が短手整位機構２３側から一時集積部６ａに進入して引抜かれるようになっている。
【００２２】
なお、一時集積部６ｂ〜６ｄも一時集積部６ａと同様の構造になっているので、一時集積部６ａと同様に紙幣を整位、集積、挟持することが可能である。
移送部１０は、図７に示すように、紙幣クランプ部３０、クランプ部移動手段３１、昇降手段３２を備えている。
紙幣クランプ部３０は、上下方向に開閉するクランプ爪３５ａ、３５ｂを有し、この紙幣クランプ部３０はクランプ部移動手段３１上に搭載されていて、一時集積部６ａ〜６ｄからクランプ爪３５ａ、３５ｂで紙幣をクランプして引抜くときは、クランプ部移動手段３１がクランプ部３０を一時集積部６ａ〜６ｄに対して押出し、１００枚の紙幣をクランプできる位置まで移動させるようになっている。
【００２３】
クランプ部３０とクランプ部移動手段３１は、昇降手段３２により一時集積部６ａから６ｄの間を一体に上昇および下降し、紙幣１００枚の集積が完了した一時集積部６ａ〜６ｄのいずれか１つの前で停止するように制御されるものとなっている。
そのため、昇降手段３２のフレームには、一時集積部６ａ〜６ｄのそれぞれの位置に対応してポジションセンサ３３ａ〜３３ｄが配設されており、例えば、一時集積部６ａに集積された紙幣を抜取るときは、ポジションセンサ３３ａの位置まで昇降手段３２によりクランプ部移動手段３１が引き上げられる。
【００２４】
引き上げられたクランプ部移動機構３１は、クランプ部部３０が紙幣を一時集積部６ａから抜取る間、この位置に固定する必要があるので、ポジションセンサ３３ａで停止した位置で回転可能なストッパカム３４がクランプ部移動手段３１に係止して落下を防止するようになっている。
この移送部１０の一連の動作を説明すると、例えば一時集積部６ａに集積された紙幣を引抜く場合、まず昇降手段３２により紙幣クランプ部３０をクランプ部移動機構３１と共にポジションセンサ３３ａの位置まで上昇させ、ポジションセンサ３３ａがクランプ部移動機構３１を検知した位置で上昇を停止させると同時にストッパカム３４を回転させてクランプ部移動手段３１に係止させる。
【００２５】
これによってクランプ部移動手段３１を一時集積部６ａと対応する位置に固定し、この状態でクランプ移動機構３１により紙幣クランプ部３０のクランプ爪３５ａ、３５ｂを上下方向に開いて１００枚の紙幣をクランプする準備を行い、更にクランプ移動機構３１により紙幣クランプ部３０を一時集積部６ａの方向に押出す。
押出された紙幣クランプ機構３０のクランプ爪３５ａ、３５ｂは、一時集積部６ａの短手整位機構２３側に設けられている開口部に挿入され、集積板２１と押え板２４により挟持されている紙幣を上下から挟みつけて把持する。
【００２６】
次に、集積板２１と押え板２４を開くことで、両者による紙幣の挟持を解除すると、これにより１００枚の紙幣が紙幣クランプ部３０に渡されたことになるので、クランプ爪３５ａ、３５ｂで紙幣を把持した紙幣クランプ部３０をクランプ部移動手段３１により引戻す。
このとき、クランプ爪３５ａ、３５ｂに把持された紙幣は一時集積部６ａの短手整位機構２３に当たるが、そのまま紙幣クランプ部３０を引戻すと短手整位機構２３は紙幣の押圧力により付勢手段に抗して整位方向と逆の方向に倒れ、これにより紙幣は一時集積部６ａからスムーズに抜取られる。
【００２７】
そして、紙幣クランプ部３０が元の位置まで引戻されると、クランプ部移動手段３１に係止してストッパカム３４が回転してその係止が解除され、紙幣を把持した紙幣クランプ部３０と共にクランプ移動手段３１が昇降手段３２により移動経路の最下端に位置する紙幣結束部１１まで移動し、紙幣クランプ部３０のクランプ爪３５ａ、３５ｂに把持された紙幣が紙幣結束部１１に引渡される。
【００２８】
紙幣結束部１１は、図８、図９に示すように、ローラおよびベルト等からなる搬送手段４０と、紙テープ等の結束用のテープ４１と、テープ４１に印字を行う印字手段４２と、テープ４１を供給するテープ供給手段４３と、テープ４１を所定の長さに切断するカッタ４４と、図示しない結束手段等を備えており、以下のようにして紙幣の結束処理が行われる。
【００２９】
すなわち、一時集積部６ａ等から束のまま引抜かれた紙幣が、移送部１０により紙幣結束部１１に送られると、搬送手段４０が移送部１０の紙幣クランプ部３０から１００枚の紙幣を一括して受取り結束位置に搬送する。
紙幣束が結束位置に搬送されると、テープ供給手段４３はテープ４１を図示しない結束手段に供給し、その際に印字手段４２はテープ４１に結束する紙幣の金種等をインクリボンを介して印字し、印字されたテープ４１は所定の長さにカッタ４４で切断され、この切断されたテープ４１を結束手段により結束位置に搬送された１００枚の紙幣に巻き付けて結束することにより紙幣束を作成する。
【００３０】
こうして作成された紙幣束は、搬送手段４０により搬送され、放出口１２に送られて装置外へ放出される。
図９において、５０は制御部であり、本紙幣整理装置全体の動作処理制御等を行う。
５１ａ〜５１ｄはカウンタであり、一時集積部６ａ〜６ｄに１対１で対応し、例えば一時集積部６ａに集積された紙幣の枚数はカウンタ５１ａにカウントされ、同様に一時集積部６ｂに集積された紙幣の枚数はカウンタ５１ｂ、一時集積部６ｃに集積された紙幣の集積枚数はカウンタ５１ｃ、一時集積部６ｄに集積された紙幣の枚数はカウンタ５１ｄにカウントされる。
【００３１】
５２は記憶部であり、制御部５０が実行するプログラムやそれに用いる各種のデータおよび制御部５０による処理結果等が格納される他、一時集積部６ａ〜６ｄに集積される紙幣の金種の指定や、計数された紙幣の金種別の計数枚数等が記憶される。
以下に、図１０、図１１に、Ｓで示すステップに従って、本実施例の計数照合処理について説明する。
【００３２】
Ｓ１、装置に電源が投入されると、制御部５０は操作表示部１４の表示画面に各種の動作モード等を表示した初期画面を表示する。
オペレータは、操作表示部１４のタッチパネルにより、例えば、万円の指定金種結束の計数照合モードを選択する。
この入力を受付けた制御部５０は、選択された動作モードを認識すると共に、指定された金種（指定金種という。本実施例では万円）を記憶部５２に記憶する。
【００３３】
Ｓ２、次いで、オペレータが操作表示部１４により、照合対象の紙幣群の紙幣枚数である計数照合枚数を入力すると、この入力を受付けた制御部５０は、入力された計数照合枚数を記憶部５２に記憶して登録する。
Ｓ３、オペレータが紙幣群を投入口１にセットして、操作部７の計数開始ボタン７ａを押下すると、この入力を受付けた制御部５０は、投入口１の図示しない残留センサにより紙幣の存在を確認する。
【００３４】
Ｓ４、投入口１の紙幣の存在を認識した制御部５０は、投入口１から紙幣を１枚ずつ繰出して搬送路３ａにより鑑別部２に搬送し、鑑別部２により紙幣の真偽、金種、表裏、正損等の鑑別、および搬送異常の有無の検出を行い、その鑑別結果を認識する。
鑑別結果を認識した制御部５０は、その鑑別された紙幣の金種を基に、記憶部５２の該当する金種のカウント数に「１」を加えて、金種別の計数枚数を１枚ずつ計数する。
【００３５】
Ｓ５、鑑別された紙幣を計数した制御部５０は、その鑑別された紙幣が、汚れや破れ等により金種不明と鑑別された紙幣、および重送等の搬送異常と鑑別された結束の対象とならないリジェクト紙幣の場合は、搬送路３ｂによりリジェクトポケット９へ搬送して集積し、結束の対象とならない指定金種以外の金種の紙幣の場合は、搬送路３ｃおよび３ｅによりオープンポケット５へ搬送して集積する。
【００３６】
鑑別された紙幣が、記憶部５２に記憶した指定金種の紙幣の場合は、その紙幣を搬送路３ｂ〜３ｄに設置された図示しない通過センサにより追跡しながら、その指定金種の紙幣を集積する一時集積部、例えば一時集積部６ａの入口の図示しない進入センサが紙幣の侵入を検知するまで搬送し、当該一時集積部６ａに指定金種の紙幣を集積する。
一時集積部６ａに紙幣を集積した制御部５０は、カウンタ５１ａのカウント数に「１」を加えて、当該一時集積部６ａに集積された紙幣の集積枚数を１枚ずつ計数する。
【００３７】
なお、前記の集積動作の途中で、一時集積部６ａの集積枚数が所定の結束枚数に達した場合は、上記で説明した紙幣の移送、結束処理が行われる。
Ｓ６、一時集積部６ａ等に紙幣を集積した制御部５０は、鑑別部２で集積した紙幣を鑑別した後に新たな紙幣が搬送されない場合、つまり集積した紙幣が投入口１にセットされた紙幣の最後の紙幣の場合は、紙幣の取込終了を判定してステップＳ１０へ移行する。
【００３８】
集積した紙幣が最後の紙幣でない場合は、取込中と判定してステップＳ７へ移行する。
Ｓ７、紙幣の取込中を判定した制御部５０は、記憶部５２に登録した計数照合枚数および記憶部５２で計数した指定金種の紙幣の計数枚数を読出し、指定金種の紙幣の計数枚数が計数照合枚数未満の場合は、ステップＳ４へ戻って、上記の集積動作を継続する。
指定金種の紙幣の計数枚数が計数照合枚数と一致した場合は、紙幣の取込中に計数照合枚数に達したことを認識してステップＳ８へ移行する。
【００３９】
Ｓ８、紙幣の取込中に計数照合枚数に達したことを認識した制御部５０は、投入口１の繰出動作を停止させ、既に投入口１から繰出された紙幣を、リジェクトポケット９へ搬送して集積し、搬送路３の駆動を停止して紙幣の計数を停止する。
Ｓ９、そして、制御部５０は、投入口１およびリジェクトポケット９やオープンポケット５の図示しない残留センサが残留紙幣の存在を検出していることを確認し、操作表示部１４のブザー１５を作動させてオペレータに警報を発すると共に、操作表示部１４の表示画面に、指定金種の紙幣の計数枚数が計数照合枚数に達した旨、および投入口１およびリジェクトポケット９やオープンポケット５の残留紙幣は計数照合の対象外の紙幣である旨の文言、例えば「計数照合枚数に達しました。投入口およびリジェクトポケット等の紙幣は、計数照合対象外の紙幣です。確認してください。」を表示した計数終了通知画面を表示してオペレータに異常終了を報知し、ステップＳ２３へ移行する。
【００４０】
Ｓ１０、上記ステップＳ６において、紙幣の取込終了を判定した制御部５０は、記憶部５２に登録した計数照合枚数および記憶部５２で計数した指定金種の紙幣の計数枚数を読出してこれらの一致を判定し、不一致の場合、つまり指定金種の紙幣の計数枚数が計数照合枚数未満の場合は、紙幣の取込終了時に計数照合枚数に達していないことを認識し、搬送路３の駆動を停止せずに、接続子Ａを介してステップＳ１５（図１１）へ移行する。
【００４１】
指定金種の紙幣の計数枚数が計数照合枚数と一致している場合は、紙幣の取込終了時に計数照合枚数に達したことを認識してステップＳ１１へ移行する。
Ｓ１１、紙幣の取込終了時に計数照合枚数に達したことを認識した制御部５０は、投入口１の繰出動作を停止させると共に、搬送路３の駆動を停止して紙幣の計数を停止する。
Ｓ１２、そして、制御部５０は、リジェクトポケット９やオープンポケット５の図示しない残留センサにより残留紙幣の有無を検出し、残留紙幣が存在しているときは、リジェクトポケット９および／若しくはオープンポケット５に残留紙幣が存在することを認識してステップＳ１３へ移行する。
【００４２】
残留紙幣が存在していないときは、ステップＳ１４へ移行する。
Ｓ１３、紙幣の取込終了時に計数照合枚数に達し、かつリジェクトポケット９等に残留紙幣が存在することを認識した制御部５０は、操作表示部１４のブザー１５を作動させてオペレータに警報を発すると共に、操作表示部１４の表示画面に、指定金種の紙幣の計数枚数が計数照合枚数に達した旨、およびリジェクトポケット９に残留する紙幣は計数照合の対象外の紙幣である旨の文言、例えば「計数照合枚数に達しました。リジェクトポケットの紙幣は、計数照合対象外の紙幣です。確認してください。」を表示した残留紙幣確認依頼画面を表示してオペレータに異常終了を報知し、ステップＳ２３へ移行する。
【００４３】
Ｓ１４、紙幣の取込終了時に計数照合枚数に達し、かつリジェクトポケット９等に残留紙幣が存在しないことを認識した制御部５０は、操作表示部１４のブザー１５を作動させてオペレータに警報を発すると共に、操作表示部１４の表示画面に、指定金種の紙幣の計数枚数が計数照合枚数に達した旨、および完了ボタンを押下を促す旨の文言、例えば「計数照合枚数に達しました。完了ボタンを押下してください。」を表示した完了ボタン押下依頼画面を表示して、オペレータに正常終了を報知し、ステップＳ２３へ移行する。
【００４４】
Ｓ１５（図１１）、上記ステップＳ１０において、紙幣の取込終了時に計数照合枚数に達していないことを認識し、搬送路３の駆動を停止せずに、接続子Ａを介して移行した制御部５０は、操作表示部１４のブザー１５を作動させてオペレータに警報を発すると共に、操作表示部１４の表示画面に、指定金種の紙幣の計数枚数が計数照合枚数に達していない旨、および紙幣の追加投入若しくはリジェクトポケット９やオープンポケット５に集積された紙幣の枚数の入力を促す旨の文言、例えば「計数照合枚数に達していません。追加計数または手入力を行ってください。」を表示した追加投入等依頼画面を表示して、オペレータに計数状況を報知する。
【００４５】
この内容を確認したオペレータは、
（１）紙幣群を構成する紙幣枚数が投入口１の収容枚数を超えている等の理由のために、保留しておいた紙幣を投入口１へセットする。
（２）リジェクトポケット９やオープンポケット５に集積された紙幣の枚数を数えて、操作表示部１４によりその未計数枚数を入力する。
（３）前記の２つを行わずに操作部７の完了ボタン７ｃを押下する。
の中のいずれか一つの操作を行う。
【００４６】
Ｓ１６、制御部５０は、投入口１の図示しない残留センサが紙幣を検知するのを待って待機しており、残留センサが紙幣を検知したときに、投入口１の紙幣の存在を認識して紙幣の追加投入を受付け、接続子Ｂを介してステップＳ４（図１０）へ移行し、上記の集積動作を継続する。
残留センサが紙幣を検知しない場合は、ステップＳ１７へ移行する。
【００４７】
Ｓ１７、制御部５０は、オペレータが操作表示部１４により未計数枚数を入力するのを待って待機しており、未計数枚数の入力を受付けたときにステップＳ２０へ移行する。
未計数枚数が入力されない場合は、ステップＳ１８へ移行する。
Ｓ１８、制御部５０は、操作部７の完了ボタン７ｃが押下されるのを待って待機しており、完了ボタン７ｃの押下の入力を受付けたときに、搬送路３の駆動を停止させ（ステップＳ１９）、接続子Ｃを介してステップＳ２４（図１０）へ移行する。
【００４８】
完了ボタン７ｃが押下されない場合は、ステップＳ１５へ戻り、操作表示部１４の表示画面に追加投入等依頼画面を表示しながら、ステップＳ１６〜Ｓ１８による待機を継続する。
Ｓ２０、上記ステップＳ１７において、未計数枚数の入力を受付けた制御部５０は、その入力された未計数枚数を認識すると共に、記憶部５２に登録した計数照合枚数および記憶部５２で計数した指定金種の紙幣の計数枚数を読出し、指定金種の紙幣の計数枚数と入力された未計数枚数との合計枚数が、計数照合枚数と一致した場合は、計数枚数と未計数枚数との合計枚数が計数照合枚数に達したことを認識してステップＳ２１へ移行する。
【００４９】
合計枚数が計数照合枚数と一致しない場合は、ステップＳ１５へ移行して、操作表示部１４の表示画面に追加投入等依頼画面を表示しながら、ステップＳ１６〜Ｓ１８による待機を継続する。
Ｓ２１、指定金種の紙幣の計数枚数と未計数枚数との合計枚数が計数照合枚数と一致したことを認識した制御部５０は、搬送路３の駆動を停止して紙幣の計数を停止する。
【００５０】
Ｓ２２、そして、制御部５０は、上記ステップＳ１４と同様にして、完了ボタン押下依頼画面を表示し、オペレータに正常終了を報知して接続子Ｄを介してステップＳ２３（図１０）へ移行する。
Ｓ２３（図１０）、上記ステップＳ９、Ｓ１３における異常終了の内容、またはステップＳ１４、Ｓ２３（図１１）における正常終了の内容を確認したオペレータは、操作部７の完了ボタン７ｃを押下する。
【００５１】
この入力を受付けた制御部５０は、ステップＳ２４へ移行する。
Ｓ２４、完了ボタンの押下の入力（ステップＳ１８（図１１）を含む。）を受付けた制御部５０は、登録された計数照合枚数、および記憶部５２で計数した指定金種の紙幣の計数枚数、未計数枚数が入力されている場合はその枚数を基に、計数照合処理の計数結果の印字データを生成し、これをプリンタ８に送ってプリンタ８により計数結果を印字して排出する。
【００５２】
その後、制御部５０は排出した計数結果の受取りを確認して、ステップＳ１へ戻って操作表示部１４の表示画面に初期画面を表示して待機する。
このように、本実施例では、照合対象の紙幣群の紙幣枚数である計数照合枚数を予め記憶部に登録しておき、投入口１に投入された紙幣群の枚数を選択された動作モードに従って計数したときに、登録された計数照合枚数と記憶部５２で計数した指定金種の紙幣の計数枚数との一致、または登録された計数照合枚数と記憶部５２で計数した指定金種の紙幣の計数枚数および入力された未計数枚数の合計枚数との一致により計数照合の正常終了を判定するので、投入された紙幣群が照合対象の紙幣群であることを容易に確認することができ、照合対象となる紙幣群の誤認を防止して計数照合における照合対象となる紙幣群の枚数の照合を確実に行うことができる。
【００５３】
また、照合対象の紙幣群の紙幣枚数が過大である場合においても、搬送路３の駆動を停止せずに、紙幣の追加投入を受付けるので、照合対象の紙幣群の追加計数処理を迅速かつ容易に行うことができる。
更に、登録された計数照合枚数と記憶部５２で計数した指定金種の紙幣の計数枚数とが一致したときに、投入口１やリジェクトポケット９に残留する紙幣が存在する場合に、計数照合の異常終了を判定して報知するので、オペレータは投入した紙幣群の誤認を容易に知得することができ、その後の処置を迅速に行うことができる。
【００５４】
以上説明したように、本実施例では、紙幣整理装置が、計数照合枚数の入力を受付けてこれを記憶部に記憶しておき、投入口に投入された紙幣群の枚数を１枚ずつ計数しながらその計数枚数を記憶し、この計数枚数が記憶した計数照合枚数に達したときに、紙幣の計数を停止して投入口およびリジェクトポケット等の残留紙幣の有無を検出し、残留紙幣が存在しない場合に、正常終了を報知するようにしてことによって、投入された紙幣群が照合対象の紙幣群であることを容易に確認することができ、照合対象となる紙幣群の誤認を防止して計数照合における照合対象となる紙幣群の枚数の照合を確実に行うことができる。
【００５５】
また、計数枚数が記憶した計数照合枚数に達したときに、残留紙幣が存在する場合に、異常終了を報知するようにしたことによって、オペレータは投入した紙幣群の誤認を容易に知得することができ、その後の処置を迅速に行うことができる。
更に、投入口に投入された紙幣群の最後の紙幣を計数したときに、計数枚数と記記憶した計数照合枚数とが不一致の場合に、搬送路の駆動を停止せずに、投入口への紙幣の追加投入を受付けるようにしたことによって、照合対象の紙幣群の追加計数処理を迅速かつ容易に行うことができる。
【００５６】
なお、上記実施例においては、結束対象外紙幣集積部は、リジェクトポケットおよびオープンポケットにより構成するとして説明したが、いずれか一つであってもよい。要はオペレータが結束対象外で未計数となった紙幣を取出して枚数を数えることができる集積部であれば、その数に関らず、どのような集積部であってもよい。
また、上記実施例においては、１金種による計数照合処理の場合を例に説明したが、２金種以上の金種を同時に計数照合処理する場合も同様である。
【図面の簡単な説明】
【００５７】
【図１】実施例の紙幣整理装置の概略側面を示す説明図
【図２】実施例の紙幣整理装置の外観を示す斜視図
【図３】実施例の操作部を示す説明図
【図４】図１の上部の拡大図
【図５】実施例の集積機構の側面を示す説明図
【図６】実施例の一時集積部を示す斜視図
【図７】実施例の移送部を示す斜視図
【図８】実施例の紙幣結束部の側面を示す説明図
【図９】実施例の制御系を示すブロック図
【図１０】実施例に計数照合処理を示すフローチャート
【図１１】実施例に計数照合処理を示すフローチャート
【符号の説明】
【００５８】
１    投入口
２    鑑別部
３、３ａ〜３ｅ  搬送路
４    表裏反転部
５    オープンポケット
６    集積機構
６ａ〜６ｄ  一時集積部
７    操作部
７ａ  計数開始ボタン
７ｂ  リセットボタン
７ｃ  完了ボタン
８    プリンタ
９    リジェクトポケット
１０  移送部
１１  紙幣結束部
１２  放出口
１３  扉
１４  操作表示部
１５  ブザー
２１  集積板
２２  長手整位機構
２２ａ  モータ
２２ｂ  連結部材
２２ｃ  整位部材
２３  短手整位機構
２４  押え板
２５  基準面
２７  振分ゲート
３０  紙幣クランプ部
３１  クランプ部移動手段
３２  昇降手段
３３ａ〜３３ｄ  ポジションセンサ
３４  ストッパカム
３５ａ、３５ｂ  クランプ爪
４０  搬送手段
４１  テープ
４２  印字手段
４３  テープ供給手段
４４  カッタ
５０  制御部
５１ａ〜５１ｄ  カウンタ
５２  記憶部
【図１】
2008276421.tif 000003
【図２】
2008276421.tif 000004
【図３】
2008276421.tif 000005
【図４】
2008276421.tif 000006
【図５】
2008276421.tif 000007
【図６】
2008276421.tif 000008
【図７】
2008276421.tif 000009
【図８】
2008276421.tif 000010
【図９】
2008276421.tif 000011
【図１０】
2008276421.tif 000012
【図１１】
2008276421.tif 000013